(57)【要約】【課題】冷却対象の異なる２つの冷却回路を流れる２つの冷媒を効率的に放熱させることができるラジエータを提供する。【解決手段】第１装置２１を冷却する第１冷媒Ｐが流れる第１冷媒流路１２と、第１冷媒流路１２が設けられる第１放熱領域１３と、第２装置２２を冷却する第２冷媒Ｑが流れる第２冷媒流路１４と、第２冷媒流路１４が設けられる第２放熱領域１５と、第２放熱領域１５に設けられ第１冷媒Ｐが流れる第１延長冷媒流路１６と、第１放熱領域１３に設けられ第２冷媒Ｑが流れる第２延長冷媒流路１７と、第１冷媒流路１２と第１延長冷媒流路１６との間の第１冷媒Ｐの流れを許容又は遮断する第１切替弁Ｖ１と、第２冷媒流路１４と第２延長冷媒流路１７との間の第２冷媒Ｑの流れを許容又は遮断する第２切替弁Ｖ２と、を備える。【選択図】図１
2020007915.tif 000002
【特許請求の範囲】
【請求項１】
第１装置を冷却する第１冷媒が流れる第１冷媒流路と、
前記第１冷媒流路が設けられる第１放熱領域と、
第２装置を冷却する第２冷媒が流れる第２冷媒流路と、
前記第２冷媒流路が設けられる第２放熱領域と、
前記第２放熱領域に設けられ、前記第１冷媒が流れる第１延長冷媒流路と、
前記第１放熱領域に設けられ、前記第２冷媒が流れる第２延長冷媒流路と、
前記第１冷媒流路と前記第１延長冷媒流路との間の前記第１冷媒の流れを許容又は遮断する第１切替弁と、
前記第２冷媒流路と前記第２延長冷媒流路との間の前記第２冷媒の流れを許容又は遮断する第２切替弁と、を備える、ラジエータ。
【請求項２】
請求項１に記載のラジエータであって、
前記第１切替弁及び前記第２切替弁を制御する制御部をさらに備え、
前記制御部は、前記第１冷媒の温度及び前記第２冷媒の温度に基づいて、前記第１切替弁及び前記第２切替弁を制御する、ラジエータ。
【請求項３】
請求項２に記載のラジエータであって、
前記制御部は、前記第２冷媒の温度が前記第１冷媒の温度よりも高いとき、
前記第２冷媒流路から前記第２延長冷媒流路への前記第２冷媒の流れを許容するとともに、前記第１冷媒流路から前記第１延長冷媒流路への前記第１冷媒の流れを遮断する、ラジエータ。
【請求項４】
請求項２又は３に記載のラジエータであって、
前記制御部は、前記第１冷媒の温度が前記第２冷媒の温度よりも高いとき、
前記第１冷媒流路から前記第１延長冷媒流路への前記第１冷媒の流れを許容するとともに、前記第２冷媒流路から前記第２延長冷媒流路への前記第２冷媒の流れを遮断する、ラジエータ。
【請求項５】
請求項２〜４のいずれか１項に記載のラジエータであって、
前記制御部は、前記第１冷媒の温度及び前記第２冷媒の温度が第１温度以上のとき、
前記第１冷媒流路から前記第１延長冷媒流路への前記第１冷媒の流れを遮断するとともに、前記第２冷媒流路から前記第２延長冷媒流路への前記第２冷媒の流れを遮断する、ラジエータ。
【請求項６】
請求項２〜５のいずれか１項に記載のラジエータであって、
前記制御部は、前記第１冷媒の温度及び前記第２冷媒の温度が第２温度以下のとき、
前記第１冷媒流路から前記第１延長冷媒流路への前記第１冷媒の流れを許容するとともに、前記第２冷媒流路から前記第２延長冷媒流路への前記第２冷媒の流れを遮断する、ラジエータ。
【請求項７】
請求項２〜６のいずれか１項に記載のラジエータであって、
前記制御部は、
前記第１冷媒流路から前記第１延長冷媒流路への前記第１冷媒の流れを遮断するとともに、前記第２冷媒流路から前記第２延長冷媒流路への前記第２冷媒の流れを遮断する、遮断モードと、
前記第１冷媒流路から前記第１延長冷媒流路への前記第１冷媒の流れを許容するとともに、前記第２冷媒流路から前記第２延長冷媒流路への前記第２冷媒の流れを遮断する、第１流路開放モードと、
前記第２冷媒流路から前記第２延長冷媒流路への前記第２冷媒の流れを許容するとともに、前記第１冷媒流路から前記第１延長冷媒流路への前記第１冷媒の流れを遮断する、第２流路開放モードと、を選択可能であって、
前記第１冷媒流路から前記第１延長冷媒流路への前記第１冷媒の流れを許容するとともに、前記第２冷媒流路から前記第２延長冷媒流路への前記第２冷媒の流れを許容する、全開放モードを禁止する、ラジエータ。
【請求項８】
請求項１〜７のいずれか１項に記載のラジエータであって、
前記第２装置は、モータを収容する変速機であって、
前記第１装置は、前記モータに供給する電力を変換する電力変換装置である、ラジエータ。
【発明の詳細な説明】
【技術分野】
【０００１】
本発明は、車両等の輸送機器に搭載可能なラジエータに関する。
【背景技術】
【０００２】
特許文献１には、ハイブリッド電気車両において、室内空調用のコンデンサと電気モータ等の強電系部品を冷却する冷却水を空冷するサブラジエータとから構成される複合熱交換器を、エンジン冷却用の冷却水を空冷するラジエータの前方に配置することが記載されている。
【０００３】
特許文献１によれば、この複合熱交換器では、コンデンサを含む冷却回路を流れる冷媒を、サブラジエータのサブラジエータチューブを構成する二重チューブの内側チューブ部分の内部に形成された内側通路を通す。この際、内側通路の外周を覆うように設けられた外側通路を流れて空冷されるサブラジエータの冷却水により冷却する。
【先行技術文献】
【特許文献】
【０００４】
【特許文献１】特開２０１２−２４５８６５号公報
【発明の概要】
【発明が解決しようとする課題】
【０００５】
ところで、ハイブリッド電気車両では、インバータ等の電力変換装置とトランスミッションとを別々の冷却回路で冷却することが行われている。しかしながら、２つのラジエータを別々に配置すると、部品点数が増えるとともに組付けが煩雑となる。
【０００６】
また、ラジエータを一体化しながら、２つの冷却回路の冷却対象を効率的に冷却する方法が模索されている。２つの冷却回路の冷却対象を効率的に冷却ためには、２つの冷却回路を流れる２つの冷媒を効率的に放熱させることが必要である。
【０００７】
本発明は、冷却対象の異なる２つの冷却回路を流れる２つの冷媒を効率的に放熱させることができるラジエータを提供する。
【課題を解決するための手段】
【０００８】
本発明のラジエータは、
第１装置を冷却する第１冷媒が流れる第１冷媒流路と、
前記第１冷媒流路が設けられる第１放熱領域と、
第２装置を冷却する第２冷媒が流れる第２冷媒流路と、
前記第２冷媒流路が設けられる第２放熱領域と、
前記第２放熱領域に設けられ、前記第１冷媒が流れる第１延長冷媒流路と、
前記第１放熱領域に設けられ、前記第２冷媒が流れる第２延長冷媒流路と、
前記第１冷媒流路と前記第１延長冷媒流路との間の前記第１冷媒の流れを許容又は遮断する第１切替弁と、
前記第２冷媒流路と前記第２延長冷媒流路との間の前記第２冷媒の流れを許容又は遮断する第２切替弁と、を備える。
【発明の効果】
【０００９】
本発明によれば、冷却対象の異なる２つの冷却回路を流れる第１冷媒及び第２冷媒を１つのラジエータで冷却することができる。また、必要に応じて、第１冷媒を第１冷媒流路及び第１延長冷媒流路に流すことで第１冷媒は第１放熱領域において放熱可能であるとともに、第２放熱領域においても放熱することができ、第１冷媒の放熱量を増やすことができる。同様に、必要に応じて、第２冷媒を第２冷媒流路及び第２延長冷媒流路に流すことで第２冷媒は第２放熱領域において放熱可能であるとともに、第１放熱領域においても放熱することができ、第２冷媒の放熱量を増やすことができる。したがって、冷却対象の異なる２つの冷却回路を流れる２つの冷媒を効率的に冷却することができる。
【図面の簡単な説明】
【００１０】
【図１】本発明の一実施形態のラジエータの模式図である。
【図２】図１のラジエータが遮断モードのときの、第１冷媒及び第２冷媒の流れを説明する模式図である。
【図３】図１のラジエータが第１流路開放モードのときの、第１冷媒及び第２冷媒の流れを説明する模式図である。
【図４】図１のラジエータが第２流路開放モードのときの、第１冷媒及び第２冷媒の流れを説明する模式図である。
【図５】ラジエータのモード選択制御のフロー図である。
【発明を実施するための形態】
【００１１】
以下、本発明の一実施形態のラジエータの構成について、図１を参照して説明する。
図１に示すように、本実施形態のラジエータＲＡＤは、第１装置２１を冷却する第１冷媒Ｐが流れる第１冷媒流路１２と、第１冷媒流路１２が設けられる第１放熱領域１３と、第２装置２２を冷却する第２冷媒Ｑが流れる第２冷媒流路１４と、第２冷媒流路１４が設けられる第２放熱領域１５と、第２放熱領域１５に設けられ第１冷媒Ｐが流れる第１延長冷媒流路１６と、第１放熱領域１３に設けられ第２冷媒Ｑが流れる第２延長冷媒流路１７と、第１冷媒流路１２と第１延長冷媒流路１６との間の第１冷媒Ｐの流れを許容又は遮断する第１切替弁Ｖ１と、第２冷媒流路１４と第２延長冷媒流路１７との間の第２冷媒Ｑの流れを許容又は遮断する第２切替弁Ｖ２と、第１切替弁Ｖ１及び第２切替弁Ｖ２を制御する制御部ＣＴＲと、を備える。
【００１２】
第１装置２１は、例えば、モータに供給する電力を変換する電力変換装置であり、電力変換装置は、直流電力を交流電力に、交流電力を直流電力に変換するインバータ、直流電力の電圧を昇圧又は降圧するＤＣ−ＤＣコンバータを含む。第２装置２２は、モータ、モータを収容するトランスミッション等である。
【００１３】
第１装置２１を冷却する第１冷媒Ｐは、例えば、冷却水、冷却オイル、ＬＬＣ（Long Life Coolant）である。第２装置２２を冷却する第２冷媒Ｑは、冷却水、冷却オイル、ＡＴＦ（Automatic Transmission Fluid）である。
【００１４】
第１放熱領域１３は、図１に示すラジエータＲＡＤの正面視で右側に配置され、第２放熱領域１５は左側に配置される。なお、第１放熱領域１３及び第２放熱領域１５の配置は、左右方向で逆でもよく、左右に分割される場合に限らず、上下方向等に分割されていてもよい。
【００１５】
第１放熱領域１３には、第１冷媒Ｐが流れる第１冷媒流路１２が設けられる。第１冷媒流路１２は、ラジエータＲＡＤの右上端部に設けられた入口部１２ａから、右下端部に設けられた出口部１２ｂまで、上方から下方に向かって、左右に蛇行するように形成される。
【００１６】
第１冷媒流路１２からは第１延長冷媒流路１６が分岐する。第１延長冷媒流路１６は、第１放熱領域１３の上方に設けられる第１冷媒流路１２の分岐部１２ｃから分岐して、第１放熱領域１３の下方に設けられる第１冷媒流路１２の合流部１２ｄで合流する。第１延長冷媒流路１６は、第２放熱領域１５を上方から下方に、左右に蛇行するように設けられる。
【００１７】
第２放熱領域１５には、第２冷媒Ｑが流れる第２冷媒流路１４が設けられる。第２冷媒流路１４は、ラジエータＲＡＤの左上端部に設けられた入口部１４ａから、左下端部に設けられた出口部１４ｂまで、上方から下方に向かって、左右に蛇行するように形成される。
【００１８】
第２冷媒流路１４からは第２延長冷媒流路１７が分岐する。第２延長冷媒流路１７は、第２放熱領域１５の上方に設けられる第２冷媒流路１４の分岐部１４ｃから分岐して、第２放熱領域１５の下方に設けられる第２冷媒流路１４の合流部１４ｄで合流する。第２延長冷媒流路１７は、第１放熱領域１３を上方から下方に、左右に蛇行するように設けられる。
【００１９】
なお、第１冷媒流路１２及び第１延長冷媒流路１６は第１装置２１を冷却する第１冷却回路Ｃ１を構成する流路であり、第２冷媒流路１４及び第２延長冷媒流路１７は第２装置２２を冷却する第２冷却回路Ｃ２を構成する流路である。即ち、第１冷却回路Ｃ１及び第２冷却回路Ｃ２は、互いに独立した冷却回路であり、第１冷媒流路１２及び第１延長冷媒流路１６を流れる第１冷媒Ｐと、第２冷媒流路１４及び第２延長冷媒流路１７を流れる第２冷媒Ｑとが、混ざり合うことはない。
【００２０】
第１延長冷媒流路１６には、第１冷媒流路１２と第１延長冷媒流路１６との間の第１冷媒Ｐの流れを許容又は遮断する第１切替弁Ｖ１が設けられる。第１切替弁Ｖ１は、分岐部１２ｃの下流であって、第１放熱領域１３と第２放熱領域１５との間に設けられる第１入口側弁Ｖ１１と、合流部１２ｄの上流であって、第１放熱領域１３と第２放熱領域１５との間に設けられる第１出口側弁Ｖ１２と、から構成される。第１入口側弁Ｖ１１及び第１出口側弁Ｖ１２は、例えばＯＮ−ＯＦＦ式の電磁弁である。
【００２１】
第２延長冷媒流路１７には、第２冷媒流路１４と第２延長冷媒流路１７との間の第２冷媒Ｑの流れを許容又は遮断する第２切替弁Ｖ２が設けられる。第２切替弁Ｖ２は、分岐部１４ｃの下流であって、第１放熱領域１３と第２放熱領域１５との間に設けられる第２入口側弁Ｖ２１と、合流部１４ｄの上流であって、第１放熱領域１３と第２放熱領域１５との間に設けられる第２出口側弁Ｖ２２と、から構成される。第２入口側弁Ｖ２１及び第２出口側弁Ｖ２２は、例えばＯＮ−ＯＦＦ式の電磁弁である。
【００２２】
第１切替弁Ｖ１（第１入口側弁Ｖ１１、第１出口側弁Ｖ１２）及び第２切替弁Ｖ２（第２入口側弁Ｖ２１、第２出口側弁Ｖ２２）は、制御部ＣＴＲによって制御される。
【００２３】
制御部ＣＴＲは、第１冷媒Ｐの温度Ｐｔ及び第２冷媒Ｑの温度Ｑｔを検出する不図示の温度センサから第１冷媒Ｐの温度Ｐｔ及び第２冷媒Ｑの温度Ｑｔを取得し、第１冷媒Ｐの温度Ｐｔ及び第２冷媒Ｑの温度Ｑｔに基づいて、第１切替弁Ｖ１（第１入口側弁Ｖ１１、第１出口側弁Ｖ１２）及び第２切替弁Ｖ２（第２入口側弁Ｖ２１、第２出口側弁Ｖ２２）のＯＮ−ＯＦＦを制御する。なお、制御部ＣＴＲは、ラジエータＲＡＤと一体に設けられていてもよく、ラジエータＲＡＤと一体に設けられていなくてもよい。
【００２４】
制御部ＣＴＲは、第１冷媒Ｐの温度Ｐｔ及び第２冷媒Ｑの温度Ｑｔに基づいて、ラジエータＲＡＤを、以下の遮断モード、第１流路開放モード、第２流路開放モードのいずれかのモードに制御する。
【００２５】
＜遮断モード＞
図２に示すように、遮断モードでは、制御部ＣＴＲは、第１切替弁Ｖ１（第１入口側弁Ｖ１１、第１出口側弁Ｖ１２）をＯＦＦに制御するとともに、第２切替弁Ｖ２（第２入口側弁Ｖ２１、第２出口側弁Ｖ２２）をＯＦＦに制御する。
【００２６】
これにより、第１冷媒流路１２から第１延長冷媒流路１６への第１冷媒Ｐの流れが遮断されるともに、第２冷媒流路１４から第２延長冷媒流路１７への第２冷媒Ｑの流れが遮断される。したがって、第１冷媒Ｐは第１放熱領域１３で放熱し、第２冷媒Ｑは第２放熱領域１５で放熱する。
【００２７】
＜第１流路開放モード＞
図３に示すように、第１流路開放モードでは、制御部ＣＴＲは、第１切替弁Ｖ１（第１入口側弁Ｖ１１、第１出口側弁Ｖ１２）をＯＮに制御するとともに、第２切替弁Ｖ２（第２入口側弁Ｖ２１、第２出口側弁Ｖ２２）をＯＦＦに制御する。
【００２８】
これにより、第１冷媒流路１２から第１延長冷媒流路１６への第１冷媒Ｐの流れが許容されるともに、第２冷媒流路１４から第２延長冷媒流路１７への第２冷媒Ｑの流れが遮断される。したがって、第１冷媒Ｐは第１放熱領域１３及び第２放熱領域１５で放熱し、第２冷媒Ｑは第２放熱領域１５で放熱する。
【００２９】
＜第２流路開放モード＞
図４に示すように、第２流路開放モードでは、制御部ＣＴＲは、第１切替弁Ｖ１（第１入口側弁Ｖ１１、第１出口側弁Ｖ１２）をＯＦＦに制御するとともに、第２切替弁Ｖ２（第２入口側弁Ｖ２１、第２出口側弁Ｖ２２）をＯＮに制御する。
【００３０】
これにより、第１冷媒流路１２から第１延長冷媒流路１６への第１冷媒Ｐの流れが遮断されるともに、第２冷媒流路１４から第２延長冷媒流路１７への第２冷媒Ｑの流れが許容される。したがって、第１冷媒Ｐは第１放熱領域１３で放熱し、第２冷媒Ｑは第１放熱領域１３及び第２放熱領域１５で放熱する。
【００３１】
なお、制御部ＣＴＲは、第１切替弁Ｖ１（第１入口側弁Ｖ１１、第１出口側弁Ｖ１２）をＯＮに制御するとともに、第２切替弁Ｖ２（第２入口側弁Ｖ２１、第２出口側弁Ｖ２２）をＯＮに制御する、全開放モードを禁止する。したがって、ラジエータＲＡＤは、第１冷媒流路１２から第１延長冷媒流路１６への第１冷媒Ｐの流れが許容されるとともに、第２冷媒流路１４から第２延長冷媒流路１７への第２冷媒Ｑの流れが許容される状態になることはない。
【００３２】
このように構成されるラジエータＲＡＤでは、冷却対象の異なる２つの冷却回路Ｃ１、Ｃ２を流れる第１冷媒Ｐ及び第２冷媒Ｑを１つのラジエータで冷却することができる。また、必要に応じて、第１冷媒Ｐを第１冷媒流路１２及び第１延長冷媒流路１６に流すことで第１冷媒Ｐは第１放熱領域１３において放熱可能であるとともに、第２放熱領域１５においても放熱することができ、第１冷媒Ｐの放熱量を増やすことができる。同様に、必要に応じて、第２冷媒Ｑを第２冷媒流路１４及び第２延長冷媒流路１７に流すことで第２冷媒Ｑは第２放熱領域１５において放熱可能であるとともに、第１放熱領域１３においても放熱することができ、第２冷媒Ｑの放熱量を増やすことができる。したがって、冷却対象の異なる２つの冷却回路Ｃ１、Ｃ２を流れる２つの冷媒Ｐ、Ｑを効率的に冷却することができる。
【００３３】
続いて、ラジエータＲＡＤの具体的な制御（モード選択制御）について図５を参照しながら説明する。
先ず、制御部ＣＴＲは、第１冷媒Ｐの温度Ｐｔ及び第２冷媒Ｑの温度Ｑｔを取得し、第１冷媒Ｐの温度Ｐｔ及び第２冷媒Ｑの温度Ｑｔが第１温度Ｔ１以上であるか否かを判断する（Ｓ１）。第１温度Ｔ１は、例えば、６０℃である。その結果、第１冷媒Ｐの温度Ｐｔ及び第２冷媒Ｑの温度Ｑｔが第１温度Ｔ１以上であれば（Ｓ１のＹＥＳ）、制御部ＣＴＲはラジエータＲＡＤを遮断モードに制御する。
【００３４】
第１冷媒Ｐの温度Ｐｔ及び第２冷媒Ｑの温度Ｑｔが高温のとき、第１冷媒流路１２から第１延長冷媒流路１６への第１冷媒Ｐの流れを遮断するとともに、第２冷媒流路１４から第２延長冷媒流路１７への第２冷媒Ｑの流れを遮断することで、それぞれの冷媒Ｐ、Ｑをそれぞれの放熱領域１３、１５で冷却することができる。
【００３５】
第１冷媒Ｐの温度Ｐｔ及び第２冷媒Ｑの温度Ｑｔが第１温度Ｔ１未満のとき（Ｓ１のＮＯ）、続いて、第１冷媒Ｐの温度Ｐｔ及び第２冷媒Ｑの温度Ｑｔが第２温度Ｔ２（Ｔ２＜Ｔ１）以下であるか否かを判断する（Ｓ２）。第２温度Ｔ２は、例えば、８０℃である。その結果、第１冷媒Ｐの温度Ｐｔ及び第２冷媒Ｑの温度Ｑｔが第２温度Ｔ２以下であれば（Ｓ２のＹＥＳ）、制御部ＣＴＲはラジエータＲＡＤを第１流路開放モードに制御する。
【００３６】
第１冷媒Ｐの温度Ｐｔ及び第２冷媒Ｑの温度Ｑｔが低温のとき、第１冷媒流路１２から第１延長冷媒流路１６への第１冷媒Ｐの流れを許容するとともに、第２冷媒流路１４から第２延長冷媒流路１７への第２冷媒Ｑの流れを遮断することで、第１延長冷媒流路１６を流れる第１冷媒Ｐの熱を利用して、第２放熱領域１５の第２冷媒Ｑを加温することができる。
【００３７】
インバータ、ＤＣ−ＤＣコンバータ等の電力変換装置を冷却する第１冷媒Ｐは、比較的温度が暖まりやすい。そのため、第１冷媒Ｐの熱を利用して第２冷媒Ｑを加温することで、トランスミッション等を流れる第２冷媒Ｑによって生じる攪拌抵抗を下げることができる。
【００３８】
第１冷媒Ｐの温度Ｐｔ及び第２冷媒Ｑの温度Ｑｔが第２温度Ｔ２より高いとき（Ｓ２のＮＯ）、第１冷媒Ｐの温度Ｐｔと第２冷媒Ｑの温度Ｑｔとを比較し、第２冷媒Ｑの温度Ｑｔが第１冷媒Ｐの温度Ｐｔよりも高いか否かを判断する（Ｓ３）。その結果、第２冷媒Ｑの温度Ｑｔが第１冷媒Ｐの温度Ｐｔよりも高いとき（Ｓ３のＹＥＳ）、制御部ＣＴＲはラジエータＲＡＤを第２流路開放モードに制御する。
【００３９】
第２冷媒Ｑの温度Ｑｔが第１冷媒Ｐの温度Ｐｔよりも高いとき、第２冷媒流路１４から第２延長冷媒流路１７への第２冷媒Ｑの流れを許容することで、第２冷媒Ｑは第１放熱領域１３においても放熱できるので、第２冷媒Ｑを効率的に冷却することができる。例えば、モータの発熱によって第２冷媒Ｑの温度が高くなったときに、第２冷媒流路１４から第２延長冷媒流路１７への第２冷媒Ｑの流れを許容することで、第２冷媒Ｑの放熱領域を拡大することができる。
【００４０】
第２冷媒Ｑの温度Ｑｔが第１冷媒Ｐの温度Ｐｔよりも低いとき（Ｓ３のＮＯ）、言い換えると、第１冷媒Ｐの温度Ｐｔが第２冷媒Ｑの温度Ｑｔよりも高いとき、制御部ＣＴＲはラジエータＲＡＤを第１流路開放モードにする。
【００４１】
第１冷媒Ｐの温度Ｐｔが第２冷媒Ｑの温度Ｑｔよりも高いとき、第１冷媒流路１２から第１延長冷媒流路１６への第１冷媒Ｐの流れを許容することで、第１冷媒Ｐは第２放熱領域１５においても放熱でき、第１冷媒Ｐを効率的に冷却することができる。例えば、車両の低速重登坂時には、トランスミッション等を流れる第２冷媒Ｑが低温で、電力変換装置を冷却する第１冷媒Ｐが高温になりやすいが、この場合に第１冷媒流路１２から第１延長冷媒流路１６への第１冷媒Ｐの流れを許容することで、第１冷媒Ｐの放熱領域を拡大することができる。
【００４２】
なお、前述した実施形態は、適宜、変形、改良、等が可能である。
例えば、第１切替弁Ｖ１は、第１入口側弁Ｖ１１及び第１出口側弁Ｖ１２のいずれか一方のみから構成されてもよく、第２切替弁Ｖ２は、第２入口側弁Ｖ２１及び第２出口側弁Ｖ２２のいずれか一方のみから構成されてもよい。また、第１入口側弁Ｖ１１及び第１出口側弁Ｖ１２は１つの弁から構成されてもよく、第２入口側弁Ｖ２１及び第２出口側弁Ｖ２２は１つの弁から構成されてもよい。さらに、第１切替弁Ｖ１及び第２切替弁Ｖ２が１つの弁から構成されてもよい。
【００４３】
本明細書には少なくとも以下の事項が記載されている。なお、括弧内には、上記した実施形態において対応する構成要素等を示しているが、これに限定されるものではない。
【００４４】
（１）  第１装置（第１装置２１）を冷却する第１冷媒（第１冷媒Ｐ）が流れる第１冷媒流路（第１冷媒流路１２）と、
前記第１冷媒流路が設けられる第１放熱領域（第１放熱領域１３）と、
第２装置（第２装置２２）を冷却する第２冷媒（第２冷媒Ｑ）が流れる第２冷媒流路（第２冷媒流路１４）と、
前記第２冷媒流路が設けられる第２放熱領域（第２放熱領域１５）と、
前記第２放熱領域に設けられ、前記第１冷媒が流れる第１延長冷媒流路（第１延長冷媒流路１６）と、
前記第１放熱領域に設けられ、前記第２冷媒が流れる第２延長冷媒流路（第２延長冷媒流路１７）と、
前記第１冷媒流路と前記第１延長冷媒流路との間の前記第１冷媒の流れを許容又は遮断する第１切替弁（第１切替弁Ｖ１）と、
前記第２冷媒流路と前記第２延長冷媒流路との間の前記第２冷媒の流れを許容又は遮断する第２切替弁（第２切替弁Ｖ２）と、を備える、ラジエータ（ラジエータＲＡＤ）。
【００４５】
（１）によれば、冷却対象の異なる２つの冷却回路を流れる第１冷媒及び第２冷媒を１つのラジエータで冷却することができる。また、必要に応じて、第１冷媒を第１冷媒流路及び第１延長冷媒流路に流すことで第１冷媒は第１放熱領域において放熱可能であるとともに、第２放熱領域においても放熱することができ、第１冷媒の放熱量を増やすことができる。同様に、必要に応じて、第２冷媒を第２冷媒流路及び第２延長冷媒流路に流すことで第２冷媒は第２放熱領域において放熱可能であるとともに、第１放熱領域においても放熱することができ、第２冷媒の放熱量を増やすことつうができる。したがって、冷却対象の異なる２つの冷却回路を流れる２つの冷媒を効率的に冷却することができる。
【００４６】
（２）  （１）に記載のラジエータであって、
前記第１切替弁及び前記第２切替弁を制御する制御部（制御部ＣＴＲ）をさらに備え、
前記制御部は、前記第１冷媒の温度（温度Ｐｔ）及び前記第２冷媒の温度（温度Ｑｔ）に基づいて、前記第１切替弁及び前記第２切替弁を制御する、ラジエータ。
【００４７】
（２）によれば、第１冷媒の温度及び第２冷媒の温度に応じて、適切に冷媒の温度を制御することができる。
【００４８】
（３）  （２）に記載のラジエータであって、
前記制御部は、前記第２冷媒の温度が前記第１冷媒の温度よりも高いとき、
前記第２冷媒流路から前記第２延長冷媒流路への前記第２冷媒の流れを許容するとともに、前記第１冷媒流路から前記第１延長冷媒流路への前記第１冷媒の流れを遮断する、ラジエータ。
【００４９】
（３）によれば、第２冷媒の温度が第１冷媒の温度よりも高いとき、第２冷媒流路から第２延長冷媒流路への第２冷媒の流れを許容することで、第２冷媒は第１放熱領域においても放熱できるので、第２冷媒を効率的に冷却することができる。
【００５０】
（４）  （２）又は（３）に記載のラジエータであって、
前記制御部は、前記第１冷媒の温度が前記第２冷媒の温度よりも高いとき、
前記第１冷媒流路から前記第１延長冷媒流路への前記第１冷媒の流れを許容するとともに、前記第２冷媒流路から前記第２延長冷媒流路への前記第２冷媒の流れを遮断する、ラジエータ。
【００５１】
（４）によれば、第１冷媒の温度が第２冷媒の温度よりも高いとき、第１冷媒流路から第１延長冷媒流路への第１冷媒の流れを許容することで、第１冷媒は第２放熱領域においても放熱でき、第１冷媒を効率的に冷却することができる。
【００５２】
（５）  （２）〜（４）のいずれかに記載のラジエータであって、
前記制御部は、前記第１冷媒の温度及び前記第２冷媒の温度が第１温度（第１温度Ｔ１）以上のとき、
前記第１冷媒流路から前記第１延長冷媒流路への前記第１冷媒の流れを遮断するとともに、前記第２冷媒流路から前記第２延長冷媒流路への前記第２冷媒の流れを遮断する、ラジエータ。
【００５３】
（５）によれば、第１冷媒の温度及び第２冷媒の温度が第１温度以上、即ち両方の冷媒が共に高温のとき、第１冷媒流路から第１延長冷媒流路への第１冷媒の流れを遮断するとともに、第２冷媒流路から第２延長冷媒流路への第２冷媒の流れを遮断することで、それぞれの冷媒をそれぞれの放熱領域で冷却することができる。
【００５４】
（６）  （２）〜（５）のいずれかに記載のラジエータであって、
前記制御部は、前記第１冷媒の温度及び前記第２冷媒の温度が第２温度（第２温度Ｔ２）以下のとき、
前記第１冷媒流路から前記第１延長冷媒流路への前記第１冷媒の流れを許容するとともに、前記第２冷媒流路から前記第２延長冷媒流路への前記第２冷媒の流れを遮断する、ラジエータ。
【００５５】
（６）によれば、第１冷媒の温度及び第２冷媒の温度が第２温度以下、即ち両方の冷媒が共に低温のとき、第１延長冷媒流路を流れる第１冷媒の熱を利用して、第２放熱領域の第２冷媒を加温することができる。
【００５６】
（７）  （２）〜（６）のいずれかに記載のラジエータであって、
前記制御部は、
前記第１冷媒流路から前記第１延長冷媒流路への前記第１冷媒の流れを遮断するとともに、前記第２冷媒流路から前記第２延長冷媒流路への前記第２冷媒の流れを遮断する、遮断モードと、
前記第１冷媒流路から前記第１延長冷媒流路への前記第１冷媒の流れを許容するとともに、前記第２冷媒流路から前記第２延長冷媒流路への前記第２冷媒の流れを遮断する、第１流路開放モードと、
前記第２冷媒流路から前記第２延長冷媒流路への前記第２冷媒の流れを許容するとともに、前記第１冷媒流路から前記第１延長冷媒流路への前記第１冷媒の流れを遮断する、第２流路開放モードと、を選択可能であって、
前記第１冷媒流路から前記第１延長冷媒流路への前記第１冷媒の流れを許容するとともに、前記第２冷媒流路から前記第２延長冷媒流路への前記第２冷媒の流れを許容する、全開放モードを禁止する、ラジエータ。
【００５７】
（７）によれば、制御部は全開放モードを禁止することで、圧損の増加を抑制できる。
【００５８】
（８）  （１）〜（７）のいずれかに記載のラジエータであって、
前記第２装置は、モータを収容する変速機であって、
前記第１装置は、前記モータに供給する電力を変換する電力変換装置である、ラジエータ。
【００５９】
（８）によれば、管理温度の異なる変速機と電力変換装置を冷却する冷媒を適切に冷却することができる。
【符号の説明】
【００６０】
１２    第１冷媒流路
１３    第１放熱領域
１４    第２冷媒流路
１５    第２放熱領域
１６    第１延長冷媒流路
１７    第２延長冷媒流路
２１    第１装置
２２    第２装置
ＣＴＲ  制御部
Ｐ      第１冷媒
Ｐｔ    第１冷媒の温度
Ｑ      第２冷媒
Ｑｔ    第２冷媒の温度
ＲＡＤ  ラジエータ
Ｔ１    第１温度
Ｔ２    第２温度
Ｖ１    第１切替弁
Ｖ２    第２切替弁
【図１】
2020007915.tif 000003
【図２】
2020007915.tif 000004
【図３】
2020007915.tif 000005
【図４】
2020007915.tif 000006
【図５】
2020007915.tif 000007